(57)【要約】【課題】  携帯用電子機器にて外部記憶媒体に記録されたデジタルデータ（マルチメディアデータ）を視聴できるようにする。【解決手段】  携帯用電子機器本体部１００と，本体部１００に着脱自在に結合される載置部２００とを有し，本体部１００は，本体部と載置部とが結合された状態においては載置部から入力されるＡ／Ｖ信号及び本体部制御信号に基づいてＡ／Ｖ信号を可視聴化し，載置部の動作を制御する載置部制御信号を載置部２００に出力し，本体部と載置部とが分離された状態においては独立した携帯用電子機器として動作し，載置部２００は，本体部と載置部とが結合された状態において本体部から入力される載置部制御信号に基づいてＡ／Ｖデータ格納媒体に格納されたＡ／Ｖデータから再生されたＡ／Ｖ信号と本体部の動作を制御する本体部制御信号とを本体部１００に出力するように構成した。【選択図】    図１
2004254315.tif 000002
【特許請求の範囲】
【請求項１】
携帯用電子機器本体部と，前記携帯用電子機器本体部に着脱自在に結合される載置部とを有し，
前記携帯用電子機器本体部は，
前記携帯用電子機器本体部と前記載置部とが結合された状態においては，前記載置部から入力されるＡ／Ｖ信号および本体部制御信号に基づいて前記Ａ／Ｖ信号を可視聴化し，前記載置部の動作を制御するための載置部制御信号を前記載置部に出力し，
前記携帯用電子機器本体部と前記載置部とが分離された状態においては，独立した携帯用電子機器として動作し，
前記載置部は，
前記携帯用電子機器本体部と前記載置部とが結合された状態において，前記携帯用電子機器本体部から入力される前記載置部制御信号に基づいて，Ａ／Ｖデータ格納媒体に格納されたＡ／Ｖデータから再生されたＡ／Ｖ信号と前記携帯用電子機器本体部の動作を制御するための本体部制御信号とを前記携帯用電子機器本体部に出力すること，
を特徴とする携帯用電子機器の映像再生装置。
【請求項２】
前記載置部は，
前記携帯用電子機器本体部から入力される載置部制御信号に基づいて，前記Ａ／Ｖデータ格納媒体に格納されたＡ／Ｖデータからの前記Ａ／Ｖ信号の再生及び出力を行い，前記携帯用電子機器本体部の動作を制御するための前記本体部制御信号の出力を行うＡ／Ｖデータ格納媒体再生部と，
前記携帯用電子機器本体部と前記載置部とが結合された状態において，前記Ａ／Ｖデータ格納媒体再生部により出力される前記Ａ／Ｖ信号及び前記本体部制御信号を入力して前記携帯用電子機器本体部に出力し，前記携帯用電子機器本体部から入力される載置部制御信号を入力して前記Ａ／Ｖデータ格納媒体再生部に出力し，前記携帯用電子機器本体部と前記Ａ／Ｖデータ格納媒体再生部との間で相互に入出力される信号の送受信を媒介する本体インターフェース部とを備えることを特徴とする請求項１に記載の携帯用電子機器の映像再生装置。
【請求項３】
前記Ａ／Ｖデータ格納媒体再生部は，
前記Ａ／Ｖデータ格納媒体に格納されたＡ／Ｖデータから前記Ａ／Ｖ信号を再生して出力するディスク再生部と，
前記ディスク再生部により出力される前記Ａ／Ｖ信号を入力して復号化し，復号化されたアナログＡ／Ｖ信号を前記本体インターフェース部に出力するＡ／Ｖ復号化部と，
Ａ／Ｖキー入力信号を印加するＡ／Ｖキー入力部と，
前記Ａ／Ｖ信号を一時的に格納してから出力するＡ／Ｖメモリと，
前記Ａ／Ｖキー入力部から印加されるＡ／Ｖキー入力信号及び前記携帯用電子機器本体部から入力される載置部制御信号に基づいて，前記ディスク再生部，前記Ａ／Ｖ復号化部，及び前記Ａ／Ｖメモリの動作を制御し，前記携帯用電子機器本体部の動作を制御するための前記本体部制御信号を前記本体インターフェース部に出力するＡ／Ｖ制御部とを備えることを特徴とする請求項２に記載の携帯用電子機器の映像再生装置。
【請求項４】
前記本体インターフェース部は，
前記Ａ／Ｖ制御部から入力される制御信号に基づいて，前記Ａ／Ｖ復号化部により出力される復号化された前記アナログＡ／Ｖ信号をアナログ／デジタル変換してデジタルＡ／Ｖ信号として出力するアナログ／デジタル変換部と，
前記携帯用電子機器本体部と前記載置部とが結合された状態において，前記アナログ／デジタル変換部により出力されるデジタルＡ／Ｖ信号を入力して前記携帯用電子機器本体部に出力し，前記Ａ／Ｖデータ格納媒体再生部により出力される本体部制御信号を入力して前記携帯用電子機器本体部に出力し，前記携帯用電子機器本体部から出力される前記載置部制御信号を入力して前記Ａ／Ｖデータ格納媒体再生部に出力し，前記携帯用電子機器本体部と前記Ａ／Ｖデータ格納媒体再生部との間で相互に入出力される信号の送受信を媒介するＡ／Ｖ接続部とを備えることを特徴とする請求項２に記載の携帯用電子機器の映像再生装置。
【請求項５】
前記携帯用電子機器本体部は，
前記携帯用電子機器本体部が前記載置部の定位置に載置されて前記携帯用電子機器本体部と前記載置部とが結合されたか否かを検知した接続検知信号を出力し，前記携帯用電子機器本体部と前記載置部とが結合された状態において，前記載置部から出力されて前記携帯用電子機器本体部へ入力される前記Ａ／Ｖ信号及び前記本体部制御信号と，前記携帯用電子機器本体部から出力されて前記載置部へ入力される前記載置部制御信号と，前記携帯用電子機器本体部と前記載置部との間で相互に入出力される信号との送受信を媒介する載置部インターフェース部と，
前記載置部インターフェース部から入力される前記接続検知信号及び前記本体部制御信号に基づいて，前記載置部インターフェース部から入力される前記Ａ／Ｖ信号を可視聴化し，前記載置部を制御するための前記載置部制御信号を前記載置部インターフェース部へ出力する本体モバイル部とを備えることを特徴とする請求項１に記載の携帯用電子機器の映像再生装置。
【請求項６】
前記載置部インターフェース部は，
前記携帯用電子機器本体部が前記載置部の定位置に載置されて前記携帯用電子機器本体部と前記載置部とが結合されたか否かを検知して接続検知信号を出力する接続検知部と，
前記携帯用電子機器本体部と前記載置部とが結合された状態において，前記載置部から出力される前記Ａ／Ｖ信号及び前記本体部制御信号を入力して前記本体モバイル部へ出力し，前本体モバイル部から出力される載置部制御信号を入力して前記載置部へ出力し，前記携帯用電子機器本体部と前記載置部との間で相互に入出力される信号の送受信を媒介する本体接続部とを備えることを特徴とする請求項５に記載の携帯用電子機器の映像再生装置。
【請求項７】
前記本体モバイル部は，
本体キー入力信号を印加する本体キー入力部と，
前記載置部インターフェース部から入力される接続検知信号及び本体部制御信号と，前記本体キー入力部から印加される本体キー入力信号とに基づいて，前記本体モバイル部を構成する構成要素の動作を全般的に制御し，前記載置部の動作を制御するための載置部制御信号を前記載置部インターフェース部に出力する本体制御部と，
前記本体制御部から出力される制御信号に基づいて，前記携帯用電子機器本体部に格納されている映像データ，Ａ／Ｖ信号再生用応用プログラム及びその他の応用プログラムを前記本体制御部に出力する本体部メモリと，
前記本体制御部から出力される制御信号に基づいて，前記載置部インターフェース部から出力される前記Ａ／Ｖ信号及び前記本体制御部から出力される前記映像データを選択的にスイッチングして映像信号及び音声信号を出力する回線多重化部と，
前記本体制御部から出力される制御信号及び前記回線多重化部から出力される映像信号に基づいて，前記映像信号を表示するための表示駆動信号を出力する表示駆動部と，
前記表示駆動部から出力される表示駆動信号に基づいて前記映像信号を表示する表示部と，
前記本体制御部から出力される制御信号及び前記回線多重化部から出力される音声信号に基づいて，前記音声信号をスピーカーを駆動させる音声信号として出力するオーディオ制御部と，
前記オーディオ制御部から出力される音声信号を音声として出力するスピーカとを備えることを特徴とする請求項５に記載の携帯用電子機器の映像再生装置。
【請求項８】
前記本体制御部は，
前記携帯用電子機器本体部と前記載置部とが結合された状態において，前記本体キー入力部から印加される本体キー入力信号を前記載置部インターフェース部を介して前記載置部に印加し，前記携帯用電子機器本体部及び前記載置部が前記本体キー入力部から印加される前記本体キー入力信号に基づいて動作するように制御することを特徴とする請求項７に記載の携帯用電子機器の映像再生装置。
【請求項９】
前記本体制御部は，
前記携帯用電子機器本体部がスリープモードである場合に前記携帯用電子機器本体部と前記載置部とが結合されると，前記載置部インターフェース部から入力される前記接続検知信号に基づいて，前記携帯用電子機器本体部を構成する各構成要素の動作モードが活性モードに変更されるように前記携帯用電子機器本体部を構成する各構成要素を制御することを特徴とする請求項７に記載の携帯用電子機器の映像再生装置。
【請求項１０】
前記Ａ／Ｖ制御部は，前記本体制御部と汎用非同期送受信回路を介して前記載置部制御信号および本体部制御信号を相互に入出力することを特徴とする請求項３又は７に記載の携帯用電子機器の映像再生装置。
【請求項１１】
前記Ａ／Ｖデータ格納媒体は，デジタルビデオディスクであることを特徴とする請求項１に記載の携帯用電子機器の映像再生装置。
【請求項１２】
携帯用電子機器本体部と，前記携帯用電子機器本体部に着脱自在に結合される載置部とを有する携帯用電子機器の映像再生方法において，
前記携帯用電子機器本体部に前記載置部が結合されると，前記携帯用電子機器本体部の動作を活性化させる活性化ステップと，
前記携帯用電子機器本体部または前記載置部を通じて入力されるキー入力信号が再生キー信号である場合，前記載置部のデータ格納媒体に格納された所定の映像や音声などの情報からＡ／Ｖ信号を再生して前記携帯用電子機器本体部に出力する再生ステップと，
携帯用電子機器本体部に前記載置部から入力されるＡ／Ｖ信号を視聴可能な音声及び画像として出力する視聴化ステップと，
を含むことを特徴とする携帯用電子機器の映像再生方法。
【請求項１３】
前記視聴化ステップでは，前記載置部から入力されるＡ／Ｖ信号または前記携帯用電子機器本体部に格納された映像データを選択的に再生することを特徴とする請求項１２に記載の携帯用電子機器の映像再生方法。
【請求項１４】
前記再生ステップでは，前記携帯用電子機器本体部と前記載置部とが結合されている場合，前記載置部は前記携帯用電子機器本体部から印加されるキー入力信号及び前記載置部から印加されるキー入力信号に基づいて動作することを特徴とする請求項１２に記載の携帯用電子機器の映像再生方法。
【請求項１５】
前記携帯用電子機器本体部及び前記載置部は，汎用非同期送受信回路を介して相互間の動作を制御する制御信号を互いに入出力することを特徴とする請求項１２に記載の携帯用電子機器の映像再生方法。
【請求項１６】
携帯用電子機器本体部と，前記携帯用電子機器本体部に着脱自在に接続される載置部とを備え，
前記携帯用電子機器本体部は，データ通信インターフェースと，表示部と，前記データ通信インターフェースを介して受信した動画マルチメディアデータの制御及び前記動画マルチメディアデータを前記表示部に表示させるための表示部の駆動を行なう制御部とを有し，
前記載置部は，データ通信インターフェースと，データ格納媒体に格納された動画マルチメディアデータを再生するマルチメディアデータ再生部と，前記携帯用電子機器本体部または前記載置部を通じて外部から入力される再生要求に応じて前記データ格納媒体に格納された前記動画マルチメディアデータを前記携帯用電子機器本体部の表示部に表示させるために，前記動画マルチメディアデータを再生して前記データ通信インターフェースを介して前記携帯用電子機器本体部へ送信するのを制御する制御部とを有すること，
を特徴とする携帯用電子機器の映像再生装置。
【請求項１７】
データ通信インターフェースと，
表示部と，
外部格納媒体に格納されたデジタルビデオディスクデータを前記データ通信インターフェースを介して受信するのを制御し，前記表示部の駆動を行なう制御部と，
を備えることを特徴とする携帯用電子機器の映像再生装置。
【請求項１８】
前記制御部により制御され，外部から提供されたビデオディスクデータと携帯用電子機器内部にて供給されるマルチメディアデータとを選択的に出力する回線多重化部をさらに備えることを特徴とする請求項１７に記載の携帯用電子機器の映像再生装置。
【発明の詳細な説明】
【技術分野】
【０００１】
本発明は，携帯用電子機器の映像再生装置及び映像再生方法にかかり，さらに詳しくは，携帯用電子機器本体部に着脱自在に結合される載置部を有する携帯用電子機器において，載置部との分離時は独立した携帯用電子機器として動作し，載置部との結合時はＤＶＤなどの外部記憶媒体に記録された映像データの再生を可能とした部分に特徴のある携帯用電子機器の映像再生装置及び映像再生方法に関する。
【背景技術】
【０００２】
近年，デジタル技術の発達と共に種々の機能を有する携帯用電子機器（モバイル電子機器）が商品化及び実用化されている。携帯用電子機器としては，例えば，情報携帯端末（ＰＤＡ：Ｐｅｒｓｏｎａｌ  Ｄｉｇｉｔａｌ  Ａｓｓｉｓｔａｎｔ），デジタルカメラ，携帯電話機，ノートブック型パソコンなどが挙げられる。このような携帯用電子機器は一般的に，着脱式の載置部（受け台またはクレイドル）を含んで構成される。この載置部は載置部としての特有な機能を有しており，その主な機能としては，例えば，携帯用電子機器の本体部に電源を供給する電源供給機能や，携帯用電子機器の本体部と外部機器とのデータ通信を行うインターフェース機能などが挙げられる。
【発明の開示】
【発明が解決しようとする課題】
【０００３】
しかし，上述したような携帯用電子機器は，一般に携帯の容易さを特徴とするものであり，小型化及び軽量化を図るためにその大きさ及び重さに制限があるため，保有できる機能には限界がある，という問題があった。例えば，携帯用電子機器はインターネットへの接続を行なったり各種の応用プログラムを実行あるいは再生するのには適しているが，例えばデジタルビデオディスク（ＤＶＤ：Ｄｉｇｉｔａｌ  Ｖｉｄｅｏ  ＤｉｓｋまたはＤｉｇｉｔａｌ  Ｖｅｒｓａｔｉｌｅ  Ｄｉｓｋ）に記録された映像などのデジタルデータ（マルチメディアデータ）を再生する場合には，使用可能または実行可能な機能が限られるなどの機能面での制約を有する場合が多い。
【０００４】
そこで，本発明は，このような問題に鑑みてなされたもので，その目的とするところは，外部記憶媒体に記録されたデジタルデータ（マルチメディアデータ）を視聴することのできる携帯用電子機器の映像再生装置及び映像再生方法を提供することにある。
【課題を解決するための手段】
【０００５】
上記課題を解決するために，本発明のある観点によれば，携帯用電子機器本体部と，上記携帯用電子機器本体部に着脱自在に結合される載置部とを有し，上記携帯用電子機器本体部は，上記携帯用電子機器本体部と上記載置部とが結合された状態においては，上記載置部から入力されるＡ／Ｖ信号（Ａｕｄｉｏ信号／ビデオ信号，または音声信号／映像信号）および本体部制御信号に基づいて上記Ａ／Ｖ信号を可視聴化し，上記載置部の動作を制御するための載置部制御信号を上記載置部に出力し，上記携帯用電子機器本体部と上記載置部とが分離された状態においては，独立した携帯用電子機器として動作し，上記載置部は，上記携帯用電子機器本体部と上記載置部とが結合された状態において，上記携帯用電子機器本体部から入力される上記載置部制御信号に基づいて，Ａ／Ｖデータ格納媒体（外部記憶媒体）に格納されたＡ／Ｖデータから再生されたＡ／Ｖ信号と上記携帯用電子機器本体部の動作を制御するための本体部制御信号とを上記携帯用電子機器本体部に出力すること，を特徴とする携帯用電子機器の映像再生装置が提供される。
【０００６】
このような本発明にかかる携帯用電子機器の映像再生装置によれば，携帯用電子機器の載置部に外部記録媒体に記録されたデジタルデータ（マルチメディアデータ）の再生機能を設け，また，携帯用電子機器の本体部と載置部との間にＡ／Ｖ信号及び各種制御信号を入出力するインターフェース機能を設けることにより，携帯用電子機器の本体部に載置部を結合させて例えばデジタルビデオディスクなどの外部記録媒体に記録されたデジタルデータ（マルチメディアデータ）を携帯用電子機器の本体にて視聴することができる。一方，上記携帯用電子機器本体部は，上記載置部と分離された状態においては，従来通り独立した携帯用電子機器として動作する。また，上記載置部は，例えば携帯用電子機器の本体部に電源を供給する電源供給機能や，携帯用電子機器の本体部と外部機器とのデータ通信を行うためのインターフェース機能や，その他の携帯用電子機器固有の機能などを併せ持つことができる。また，携帯用電子機器本体にて視聴可能な外部記憶媒体のデジタルデータには，動画，静止画，音声，及びこれらが統合されたマルチメディアデータなどが含まれる。また，上記外部記憶媒体には，例えばデジタルビデオディスク（ＤＶＤ），コンパクト・ディスク（ＣＤ），光磁気ディスク（ＭＯ），フラッシュメモリーカード，ハード・ディスクなどがある。
【０００７】
このとき，上記載置部は，上記携帯用電子機器本体部から入力される載置部制御信号に基づいて，上記Ａ／Ｖデータ格納媒体に格納されたＡ／Ｖデータからの上記Ａ／Ｖ信号の再生及び出力を行い，上記携帯用電子機器本体部の動作を制御するための上記本体部制御信号の出力を行うＡ／Ｖデータ格納媒体再生部と，上記携帯用電子機器本体部と上記載置部とが結合された状態において，上記Ａ／Ｖデータ格納媒体再生部により出力される上記Ａ／Ｖ信号及び上記本体部制御信号を入力して上記携帯用電子機器本体部に出力し，上記携帯用電子機器本体部から入力される載置部制御信号を入力して上記Ａ／Ｖデータ格納媒体再生部に出力し，上記携帯用電子機器本体部と上記Ａ／Ｖデータ格納媒体再生部との間で相互に入出力される信号の送受信を媒介する本体インターフェース部とを備える如く構成すれば，携帯用電子機器本体部から再生要求が発生すると，上記Ａ／Ｖデータ格納媒体再生部は外部記憶媒体に格納されたＡ／Ｖデータを再生し，上記本体インターフェース部は上記再生されたＡ／Ｖデータを携帯用電子機器本体部に送信することができる。
【０００８】
また，上記載置部のＡ／Ｖデータ格納媒体再生部は，上記Ａ／Ｖデータ格納媒体に格納されたＡ／Ｖデータから上記Ａ／Ｖ信号を再生して出力するディスク再生部と，上記ディスク再生部により出力される上記Ａ／Ｖ信号を入力して復号化し，復号化されたアナログＡ／Ｖ信号を上記本体インターフェース部に出力するＡ／Ｖ復号化部と，Ａ／Ｖキー入力信号を印加するＡ／Ｖキー入力部と，上記Ａ／Ｖ信号を一時的に格納してから出力するＡ／Ｖメモリと，上記Ａ／Ｖキー入力部から印加されるＡ／Ｖキー入力信号及び上記携帯用電子機器本体部から入力される載置部制御信号に基づいて，上記ディスク再生部，上記Ａ／Ｖ復号化部，及び上記Ａ／Ｖメモリの動作を制御し，上記携帯用電子機器本体部の動作を制御するための上記本体部制御信号を上記本体インターフェース部に出力するＡ／Ｖ制御部とを備える如く構成されるのがよい。
【０００９】
また，上記載置部の本体インターフェース部は，上記Ａ／Ｖ制御部から入力される制御信号に基づいて，上記Ａ／Ｖ復号化部により出力される復号化された上記アナログＡ／Ｖ信号をアナログ／デジタル変換（Ａ／Ｄ変換）してデジタルＡ／Ｖ信号として出力するアナログ／デジタル変換部と，上記携帯用電子機器本体部と上記載置部とが結合された状態において，上記アナログ／デジタル変換部により出力されるデジタルＡ／Ｖ信号を入力して上記携帯用電子機器本体部に出力し，上記Ａ／Ｖデータ格納媒体再生部により出力される本体部制御信号を入力して上記携帯用電子機器本体部に出力し，上記携帯用電子機器本体部から出力される上記載置部制御信号を入力して上記Ａ／Ｖデータ格納媒体再生部に出力し，上記携帯用電子機器本体部と上記Ａ／Ｖデータ格納媒体再生部との間で相互に入出力される信号の送受信を媒介するＡ／Ｖ接続部とを備えるのが好ましい。
【００１０】
そして，上記携帯用電子機器本体部は，上記携帯用電子機器本体部が上記載置部の定位置に載置されて上記携帯用電子機器本体部と上記載置部とが結合されたか否かを検知した接続検知信号を出力し，上記携帯用電子機器本体部と上記載置部とが結合された状態において，上記載置部から出力されて上記携帯用電子機器本体部へ入力される上記Ａ／Ｖ信号及び上記本体部制御信号と，上記携帯用電子機器本体部から出力されて上記載置部へ入力される上記載置部制御信号と，上記携帯用電子機器本体部と上記載置部との間で相互に入出力される信号との送受信を媒介する載置部インターフェース部と，上記載置部インターフェース部から入力される上記接続検知信号及び上記本体部制御信号に基づいて，上記載置部インターフェース部から入力される上記Ａ／Ｖ信号を可視聴化し，上記載置部を制御するための上記載置部制御信号を上記載置部インターフェース部へ出力する本体モバイル部とを備える如く構成すれば，携帯用電子機器本体部にて再生要求が発生すると，上記載置部インターフェース部は上記再生要求を携帯用電子機器の載置部に送信して載置部から返信されるＡ／Ｖ信号を受信し，上記本体モバイル部は上記返信されたＡ／Ｖ信号をユーザーが視聴できるように可視聴化することができる。
【００１１】
また，上記携帯用電子機器本体部の載置部インターフェース部は，上記携帯用電子機器本体部が上記載置部の定位置に載置されて上記携帯用電子機器本体部と上記載置部とが結合されたか否かを検知して接続検知信号を出力する接続検知部と，上記携帯用電子機器本体部と上記載置部とが結合された状態において，上記載置部から出力される上記Ａ／Ｖ信号及び上記本体部制御信号を入力して上記本体モバイル部へ出力し，前本体モバイル部から出力される載置部制御信号を入力して上記載置部へ出力し，上記携帯用電子機器本体部と上記載置部との間で相互に入出力される信号の送受信を媒介する本体接続部とを備えることが望ましい
【００１２】
また，上記携帯用電子機器本体部の本体モバイル部は，本体キー入力信号を印加する本体キー入力部と，上記載置部インターフェース部から入力される接続検知信号及び本体部制御信号と，上記本体キー入力部から印加される本体キー入力信号とに基づいて，上記本体モバイル部を構成する構成要素の動作を全般的に制御し，上記載置部の動作を制御するための載置部制御信号を上記載置部インターフェース部に出力する本体制御部と，上記本体制御部から出力される制御信号に基づいて，上記携帯用電子機器本体部に格納されている映像データ，Ａ／Ｖ信号再生用応用プログラム及びその他の応用プログラムを上記本体制御部に出力（アップロード）する本体部メモリと，上記本体制御部から出力される制御信号に基づいて，上記載置部インターフェース部から出力される上記Ａ／Ｖ信号及び上記本体制御部から出力される上記映像データを選択的にスイッチングして映像信号（Ｖｉｄｅｏ信号）及び音声信号（Ａｕｄｉｏ信号）を出力する回線多重化部と，上記本体制御部から出力される制御信号及び上記回線多重化部から出力される映像信号（Ｖｉｄｅｏ信号）に基づいて，上記映像信号を表示するための表示駆動信号を出力する表示駆動部と，上記表示駆動部から出力される表示駆動信号に基づいて上記映像信号を表示する表示部と，上記本体制御部から出力される制御信号及び上記回線多重化部から出力される音声信号（Ａｕｄｉｏ信号）に基づいて，上記音声信号をスピーカーを駆動させる音声信号として出力するオーディオ制御部と，上記オーディオ制御部から出力される音声信号を音声として出力するスピーカとを備える如く構成すれば，外部記憶媒体に格納されたＡ／Ｖデータを再生を要求する本体キー入力信号が上記本体キー入力部より印加されると，上記本体制御部は携帯用電子機器の載置部に外部記憶媒体に格納されたＡ／Ｖデータを再生するべく要求を行い，その結果載置部から返信されるＡ／Ｖ信号が上記表示部及びスピーカーから出力されるように制御することができる。
【００１３】
上記本体モバイル部の本体制御部は，上記携帯用電子機器本体部と上記載置部とが結合された状態において，上記本体キー入力部から印加される本体キー入力信号を上記載置部インターフェース部を介して上記載置部に印加し，上記携帯用電子機器本体部及び上記載置部が上記本体キー入力部から印加される上記本体キー入力信号に基づいて動作するように制御するように構成されるのが望ましい。
【００１４】
上記本体モバイル部の本体制御部は，上記携帯用電子機器本体部がスリープモードである場合に上記携帯用電子機器本体部と上記載置部とが結合されると，上記載置部インターフェース部から入力される上記接続検知信号に基づいて，上記携帯用電子機器本体部を構成する各構成要素の動作モードが活性モードに変更されるように上記携帯用電子機器本体部を構成する各構成要素を制御する如く構成すれば，上記携帯用電子機器本体部がスリープモードのとき，上記載置部を携帯用電子機器本体部に結合させるだけで上記携帯用電子機器本体部は活性モードになるので，ユーザーは改めてスリープモードを解除する操作を行なわなくてもよい。
【００１５】
上記Ａ／Ｖ制御部は，上記本体制御部と汎用非同期送受信回路（ＵＡＲＴ通信ポート：Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）を介して上記載置部制御信号および本体部制御信号を相互に入出力するように構成することが望ましい。
【００１６】
上記Ａ／Ｖデータ格納媒体は，デジタルビデオディスクであることが好ましい。また，上記Ａ／Ｖデータ格納媒体は，デジタルビデオディスク（ＤＶＤ）以外にも，例えばコンパクト・ディスク（ＣＤ），光磁気ディスク（ＭＯ），フラッシュメモリーカード，ハード・ディスクなどであってもよい。
【００１７】
上記課題を解決するために，本発明の別の観点によれば，携帯用電子機器本体部と，上記携帯用電子機器本体部に着脱自在に結合される載置部とを有する携帯用電子機器の映像再生方法において，上記携帯用電子機器本体部に上記載置部が結合されると，上記携帯用電子機器本体部の動作を活性化させる活性化ステップと，上記携帯用電子機器本体部または上記載置部を通じて入力されるキー入力信号が再生キー信号である場合，上記載置部のデータ格納媒体に格納された所定の映像や音声などの情報からＡ／Ｖ信号を再生して上記携帯用電子機器本体部に出力する再生ステップと，携帯用電子機器本体部に上記載置部から入力されるＡ／Ｖ信号を視聴可能な音声及び画像として出力する視聴化ステップと，を含むことを特徴とする携帯用電子機器の映像再生方法が提供される。
【００１８】
このような本発明にかかる携帯用電子機器の映像再生方法によれば，携帯用電子機器の載置部に外部記録媒体に記録されたデジタルデータ（マルチメディアデータ）を再生して携帯用電子機器の本体部に出力する機能を設け，携帯用電子機器の本体部に上記載置部から入力されたＡ／Ｖ信号を視聴可能な音声及び画像として出力する機能を設けることにより，ユーザーは例えばデジタルビデオディスクなどの外部記録媒体に記録されたデジタルデータ（マルチメディアデータ）を携帯用電子機器の本体にて視聴することができる。また，上記携帯用電子機器本体部がスリープモードのとき，上記載置部を携帯用電子機器本体部に結合させるだけで上記携帯用電子機器本体部は活性モードになるので，ユーザーは改めてスリープモードを解除する操作を行なわなくてもよい。また，携帯用電子機器本体にて視聴可能な外部記憶媒体のデジタルデータには，動画，静止画，音声，及びこれらが統合されたマルチメディアデータなどが含まれる。また，上記外部記憶媒体には，例えばデジタルビデオディスク（ＤＶＤ），コンパクト・ディスク（ＣＤ），光磁気ディスク（ＭＯ），フラッシュメモリーカード，ハード・ディスクなどがある。
【００１９】
このとき，上記視聴化ステップでは，上記載置部から入力されるＡ／Ｖ信号または上記携帯用電子機器本体部に格納された映像データを選択的に再生する如く構成するのが望ましい。ここで，上記携帯用電子機器本体部に格納された映像データは，例えば，携帯用電子機器本体部のメモリに格納されている動画，静止画，音声またはこれらが統合されたマルチメディアデータなどのデータであったり，携帯用電子機器本体部が有するデータ通信手段によりインターネットなどから配信された動画，静止画，音声またはこれらが統合されたマルチメディアデータなどのデータである場合もある。
【００２０】
また，上記再生ステップでは，上記携帯用電子機器本体部と上記載置部とが結合されている場合，上記載置部は上記携帯用電子機器本体部から印加されるキー入力信号及び上記載置部から印加されるキー入力信号に基づいて動作する如く構成すれば，携帯用電子機器の本体部に載置部が結合されている場合，ユーザーは携帯用電子機器の本体部または載置部のどちらからでもＡ／Ｖデータの再生要求を行なうことができる。
【００２１】
また，上記携帯用電子機器本体部及び上記載置部は，汎用非同期送受信回路（ＵＡＲＴ通信ポート：Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）を介して相互間の動作を制御する制御信号を互いに入出力する如く構成するのが好ましい。
【００２２】
上記課題を解決するために，本発明の別の観点によれば，携帯用電子機器本体部と，上記携帯用電子機器本体部に着脱自在に接続される載置部とを備え，上記携帯用電子機器本体部は，データ通信インターフェースと，表示部と，上記データ通信インターフェースを介して受信した動画マルチメディアデータの制御及び上記動画マルチメディアデータを上記表示部に表示させるための表示部の駆動を行なう制御部とを有し，上記載置部は，データ通信インターフェースと，データ格納媒体に格納された動画マルチメディアデータを再生するマルチメディアデータ再生部と，上記携帯用電子機器本体部または上記載置部を通じて外部から入力される再生要求に応じて上記データ格納媒体に格納された上記動画マルチメディアデータを上記携帯用電子機器本体部の表示部に表示させるために，上記動画マルチメディアデータを再生して上記データ通信インターフェースを介して上記携帯用電子機器本体部へ送信するのを制御する制御部とを有すること，を特徴とする携帯用電子機器の映像再生装置が提供される。
【００２３】
このような本発明にかかる携帯用電子機器の映像再生装置によれば，携帯用電子機器の載置部にデータ格納媒体に記録された動画マルチメディアデータの再生機能を有するマルチメディアデータ再生部を設け，また，携帯用電子機器の本体部と載置部との間に上記マルチメディアデータ再生部にて再生された動画マルチメディアデータ及び各種制御信号を送受信するデータ通信インターフェースを設けることにより，例えばデジタルビデオディスクなどのデータ格納媒体に記録された動画マルチメディアデータに対して，再生は携帯用電子機器の載置部にて行い，ユーザーによる視聴は携帯用電子機器の本体部にて行なうことができる。
【００２４】
上記課題を解決するために，本発明の別の観点によれば，データ通信インターフェースと，表示部と，外部格納媒体に格納されたデジタルビデオディスクデータを上記データ通信インターフェースを介して受信するのを制御し，上記表示部の駆動を行なう制御部と，を備えることを特徴とする携帯用電子機器の映像再生装置が提供される。
【００２５】
このような本発明にかかる携帯用電子機器の映像再生装置によれば，例えばデジタルビデオディスクなどの外部格納媒体に格納された映像データや音声データを携帯用電子機器に設けられたデータ通信インターフェースを介して受信して，携帯用電子機器にて視聴することができる。
【００２６】
このとき，上記制御部により制御され，外部から提供されたビデオディスクデータと携帯用電子機器内部にて供給されるマルチメディアデータとを選択的に出力する回線多重化部をさらに備える如く構成すれば，ユーザーは外部格納媒体に格納されたデジタルビデオディスクデータ及びインターネットなどから配信された動画，静止画，音声またはこれらが統合されたマルチメディアデータを選択して携帯用電子機器にて視聴することができる。
【発明の効果】
【００２７】
本発明によれば，携帯用電子機器の載置部に外部記憶媒体に記録されたデジタルデータ（マルチメディアデータ）の再生機能を設け，また，携帯用電子機器の本体部と載置部との間にＡ／Ｖ信号及び各種制御信号を入出力するインターフェース機能を設けることにより，携帯用電子機器の本体部に載置部を結合させてＤＶＤなどの外部記憶媒体に記録されたデジタルデータ（マルチメディアデータ）を携帯用電子機器の本体にて視聴することができる，携帯用電子機器の映像再生装置及び映像再生方法を提供できるものである。
【発明を実施するための最良の形態】
【００２８】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２９】
本発明の実施の形態にかかる携帯用電子機器の映像再生装置は，本体部１００と，本体部１００と着脱自在に接続される載置部２００とを含んで構成される。図１は，本発明の実施の形態にかかる携帯用電子機器の概略構成を示すブロック図である。
【００３０】
ここで，本体部１００はユーザーが携帯して移動をしながら（モバイル）の利用が可能であり，例えば，情報携帯端末（ＰＤＡ：Ｐｅｒｓｏｎａｌ  Ｄｉｇｉｔａｌ  Ａｓｓｉｓｔａｎｔ），デジタルカメラ，携帯電話機，ノートブック型パソコンなどが挙げられる。載置部２００は本体部１００に着脱自在に接続され，一般的には本体部１００を固定保持可能な受け台またはクレイドル形状である場合が多いが，その形状は様々であり特に限定はされない。また，載置部２００は，以下に述べる本発明の実施の形態にかかる機能以外の，例えば携帯用電子機器の本体部に電源を供給する電源供給機能や，携帯用電子機器の本体部と外部機器とのデータ通信を行うためのインターフェース機能や，その他の携帯用電子機器固有の機能などを併せ持つことができる。
【００３１】
本体部１００は，本体部１００の携帯用電子機器としての動作を制御する本体モバイル部１１０と，載置部２００との間の入出力を行う載置部インターフェース部１２０とを有する。本体部１００は，載置部２００と結合あるいは接続されて，載置部２００から入力されるＡ／Ｖ信号（Ａｕｄｉｏ／Ｖｉｄｅｏ  Ｓｉｇｎａｌ：映像信号／音声信号）と本体部制御信号（モバイル制御信号）に基づいて，上記入力されたＡ／Ｖ信号をユーザーが視聴可能な音声及び画像として再生する。また，本体部１００は，載置部２００の動作を制御するための載置部制御信号を載置部２００に出力する。そして，本体部１００は，載置部２００と分離された状態においては，独立した携帯用電子機器として動作する。
【００３２】
載置部２００は，例えばＤＶＤなどの外部記憶媒体に記録されたデジタルデータ（マルチメディアデータ）の再生を行なうＡ／Ｖデータ格納媒体再生部２２０と，載置部２００との間の入出力を行う本体インターフェース部２１０とを有する。載置部２００は，本体部１００と結合あるいは接続されて，本体部１００から出力される載置部制御信号に基づいてＡ／Ｖデータ格納媒体（図示せず）に格納されたＡ／Ｖデータを再生する。また，載置部２００は，本体部１００の動作を制御するための本体部制御信号（モバイル制御信号）を本体部１００に出力する。ここで，Ａ／Ｖデータ格納媒体は外部記憶媒体であり，例えばデジタルビデオディスク（ＤＶＤ：Ｄｉｇｉｔａｌ  Ｖｉｄｅｏ  ＤｉｓｋまたはＤｉｇｉｔａｌ  Ｖｅｒｓａｔｉｌｅ  Ｄｉｓｋ），コンパクト・ディスク（ＣＤ），光磁気ディスク（ＭＯ），フラッシュメモリーカード，ハード・ディスクなどが挙げられる。また，Ａ／Ｖ（Ａｕｄｉｏ／Ｖｉｄｅｏ）データとしては，例えば動画，静止画，音声などが挙げられ，これらを統合したマルチメディアデータも含まれる。
【００３３】
次に，図２を参照して載置部２００の動作をより詳しく説明する。図２は，図１の載置部２００の構成をより具体的に示したブロック図である。載置部２００は，Ａ／Ｖデータ格納媒体再生部２２０及び本体インターフェース部２１０を有する。
【００３４】
Ａ／Ｖデータ格納媒体再生部２２０は，本体部１００から入力される載置部制御信号に基づいてＡ／Ｖデータ格納媒体（図示せず）に格納されたＡ／Ｖデータを再生して本体インターフェース部２１０に出力する。また，Ａ／Ｖデータ格納媒体再生部２２０は，本体部１００の動作を制御するための本体部制御信号を本体インターフェース部２１０に出力する。
【００３５】
本体インターフェース部２１０は，載置部２００が本体部１００に結合あるいは接続される時，Ａ／Ｖデータ格納媒体再生部２２０から出力されるＡ／Ｖ信号及び本体部制御信号を受信し，受信したＡ／Ｖ信号及び本体部制御信号を本体部１００に出力する。更に，本体インターフェース部２１０は，載置部２００が本体部１００に結合あるいは接続される時，本体部１００から入力される載置部制御信号を受信して，受信した載置部制御信号をＡ／Ｖデータ格納媒体再生部２２０に出力する。すなわち，本体インターフェース部２１０は，本体部１００とＡ／Ｖデータ格納媒体再生部２２０との間で入出力される信号の送受信を媒介する役割りを果たす。
【００３６】
Ａ／Ｖデータ格納媒体再生部２２０は，ディスク再生部２２１，Ａ／Ｖ復号化部（Ａ／Ｖデコーディング部）２２５，Ａ／Ｖキー入力部２２２，Ａ／Ｖメモリ２２４及びＡ／Ｖ制御部２２３を有する。
【００３７】
ディスク再生部２２１は，Ａ／Ｖデータ格納媒体に格納されたＡ／Ｖデータを再生してＡ／Ｖ制御部２２３に出力する。ここで，Ａ／Ｖデータ格納媒体は，例えばデジタルビデオディスク（ＤＶＤ：Ｄｉｇｉｔａｌ  Ｖｉｄｅｏ  ＤｉｓｋまたはＤｉｇｉｔａｌ  Ｖｅｒｓａｔｉｌｅ  Ｄｉｓｋ）であることが好ましいが，コンパクト・ディスク（ＣＤ），光磁気ディスク（ＭＯ），フラッシュメモリーカード，ハード・ディスクなどの他の格納媒体であってもよい。
【００３８】
Ａ／Ｖキー入力部２２２は，Ａ／Ｖキー入力信号をＡ／Ｖ制御部２２３に印加する。このとき，Ａ／Ｖキー入力部２２２から印加されるＡ／Ｖキー入力信号には，例えばＡ／Ｖデータの再生を要求する再生キー信号などがある。
【００３９】
Ａ／Ｖ制御部２２３は，Ａ／Ｖキー入力部２２２から印加されるＡ／Ｖキー入力信号および本体部１００から入力される載置部制御信号に基づいて，ディスク再生部２２１から入力されるＡ／Ｖ信号をＡ／Ｖ復号化部２２５に出力する。また，Ａ／Ｖ制御部２２３は，本体部１００の動作を制御するための本体部制御信号を本体インターフェース部２１０に出力する。
【００４０】
Ａ／Ｖメモリ２２４は，Ａ／Ｖ制御部２２３の制御信号に基づいてディスク再生部２２１により再生されたＡ／Ｖ信号を一時的に格納し，この一時的に格納されたＡ／Ｖ信号をＡ／Ｖ制御部２２３に出力する。
【００４１】
Ａ／Ｖ復号化部（Ａ／Ｖデコーディング部）２２５は，Ａ／Ｖ制御部２２３からの制御信号に基づいてＡ／Ｖ制御部２２３から入力されるＡ／Ｖ信号を復号化して本体インターフェース部２１０に出力する。
【００４２】
本体インターフェース部２１０は，アナログ／デジタル変換部（Ａ／Ｄコンバータ）２１１及びＡ／Ｖ接続部（Ａ／Ｖコネクタ）２１４を有する。
【００４３】
アナログ／デジタル変換部（Ａ／Ｄコンバータ）２１１は，Ａ／Ｖ制御部２２３から入力される制御信号に基づいて，Ａ／Ｖ復号化部２２５から入力される復号化されたアナログＡ／Ｖ信号をアナログ／デジタル変換（Ａ／Ｄ変換）し，デジタルＡ／Ｖ信号をＡ／Ｖ接続部２１４に出力する。
【００４４】
Ａ／Ｖ接続部（Ａ／Ｖコネクタ）２１４は，本体部１００とＡ／Ｖデータ格納媒体再生部２２０との間で送受信される信号の入出力を媒介する役割りを果たす。すなわち，Ａ／Ｖ接続部２１４は，載置部２００が本体部１００に結合あるいは接続された状態において，アナログ／デジタル変換部２１１から出力されるデジタルＡ／Ｖ信号及びＡ／Ｖ制御部２２３から出力される本体部制御信号を受信して上記受信したデジタルＡ／Ｖ信号及び本体部制御信号を本体部１００に出力する一方で，本体部１００から出力された載置部制御信号を受信して上記受信した載置部制御信号をＡ／Ｖ制御部２２３に出力する。
【００４５】
次に，図３を参照して本体部１００の動作をより詳しく説明する。図３は，図１の本体部１００の構成をより具体的に示したブロック図である。本体部１００は，大別して，本体モバイル部１１０と載置部インターフェース部１２０とに分けられる。
【００４６】
載置部インターフェース部１２０は，本体部１００と載置部２００との結合あるいは接続が定位置で行なわれて接続が正しく行なわれたか否かを検知して接続検知信号（ドッキング検知信号）を本体モバイル部１１０に出力する。また，載置部インターフェース部１２０は，本体部１００と載置部２００との間で入出力される信号，すなわち載置部２００が出力するＡ／Ｖ信号と本体部制御信号，及び本体部１００が出力する載置部制御信号などの信号の送受信を媒介する役割りを果たす。
【００４７】
本体モバイル部１１０は，載置部インターフェース部１２０から入力される接続検知信号及び本体部制御信号に基づいて，載置部インターフェース部１２０から受信したＡ／Ｖ信号をユーザーが視聴可能な音声及び画像として再生するする一方で，載置部２００を制御するための載置部制御信号を載置部インターフェース部１２０に出力する。
【００４８】
載置部インターフェース部１２０は，接続検知部（載置部ドッキング検知部）１２２及び本体接続部（モバイルコネクタ）１２１を有する。
【００４９】
接続検知部（載置部ドッキング検知部）１２２は，接続検知信号を本体モバイル部１１０に出力する。この接続検知信号は，本体部１００が載置部２００の定位置に載置されて本体部１００と載置部２００との接続が正しく行なわれたか否かを検知した結果を示す信号である。
【００５０】
本体接続部（モバイルコネクタ）１２１は，載置部２００が本体部１００に結合あるいは接続された状態において，本体モバイル部１１０と載置部２００との間で入出力される信号，すなわち載置部２００が出力するＡ／Ｖ信号と本体部制御信号，及び本体部１００が出力する載置部制御信号などの信号の送受信を媒介する役割りを果たす。
【００５１】
本体モバイル部１１０は，本体キー入力部（モバイルキー入力部）１１９，本体制御部（モバイル制御部）１１１，本体部メモリ（モバイルメモリ）１１２，回線多重化部（信号ＭＵＸ部）１１３，表示駆動部１１４，表示部１１８，オーディオ制御部１１６及びスピーカ１１７を有する。
【００５２】
本体キー入力部（モバイルキー入力部）１１９は，本体キー入力信号を本体制御部１１１に印加する。このとき，本体キー入力部１１９から印加される本体キー入力信号には，例えばＡ／Ｖデータの再生を要求する再生キー信号などがある。
【００５３】
本体制御部（モバイル制御部）１１１は，載置部インターフェース部１２０から入力される接続検知信号及び本体部制御信号と，本体キー入力部１１９から印加される本体キー入力信号とに基づいて，本体モバイル部１１０を構成する各構成要素及び各構成要素間の動作を全般的に制御する。また，本体制御部１１１は，載置部２００の動作を制御するための載置部制御信号を本体接続部１２１に出力する。
【００５４】
本体部メモリ（モバイルメモリ）１１２は，本体制御部１１１から出力される制御信に基づいて，Ａ／Ｖ信号再生用応用プログラム，その他の各種応用プログラム，既に本体部メモリ１１２内に格納されている例えば静止画，動画，マルチメディアデータなどの映像データ，などのデータを本体制御部１１１に出力（アップロード）する。ここで，Ａ／Ｖ信号再生用応用プログラムとはＡ／Ｖ信号をユーザーが視聴可能な形式で表示部に表示させる応用プログラムであり，このとき上記Ａ／Ｖ信号は，例えば載置部２００などから外部入力されたＡ／Ｖ信号，または本体部１００内で生成あるいは格納されたＡ／Ｖ信号などである。本体部メモリ１１２から本体制御部１１１へ出力された映像データは，本体制御部１１１を通じて回線多重化部１１３に出力される。
【００５５】
回線多重化部（信号ＭＵＸ部）１１３は，マルチプレクサ（回線多重化装置）の役割りを果たす。すなわち，回線多重化部１１３は，本体制御部１１１から出力される制御信号に基づいて，入力Ａ／Ｖ信号を，本体接続部１２１から出力されるＡ／Ｖ信号と本体制御部１１１から出力される映像データとの間でスイッチングして選択する。例えば，載置部２００から入力されたＡ／Ｖ信号（データ）を再生するモードである場合，本体制御部１１１は，回線多重化部１１３が本体接続部１２１から出力されるＡ／Ｖ信号を選択してスイッチングするように回線多重化部１１３を制御する。また，本体部メモリ１１２の映像データを再生するモードである場合，本体制御部１１１は，回線多重化部１１３が本体制御部１１１から出力されるＡ／Ｖ信号を選択してスイッチングするように回線多重化部１１３を制御する。上記選択されたＡ／Ｖ信号（オーディオ信号／ビデオ信号）は，表示駆動部１１４及びオーディオ制御部１１６に出力される。
【００５６】
表示駆動部１１４は，表示部１１８に回線多重化部１１３から出力されるビデオ信号（Ｖｉｄｅｏ信号または映像信号）を表示するために，本体制御部１１１から入力される制御信号に基づいて表示部１１４を駆動させる。
【００５７】
表示部１１８は，表示駆動部１１４から出力される表示駆動信号に基づいてビデオ信号を表示する。
【００５８】
オーディオ制御部１１６は，回線多重化部１１３から入力されるオーディオ信号（Ａｕｄｉｏ信号または音声信号）を音声として出力するために，本体制御部１１１から入力される制御信号に基づいて，スピーカ１１７を駆動するための音声信号をスピーカ１１７に出力する。
【００５９】
本体部１００の本体接続部１２１と載置部２００のＡ／Ｖ接続部２１４とが結合あるいは接続されているとき，本体制御部１１１は，本体キー入力部１１９から印加される本体キー入力信号を本体接続部１２１及びＡ／Ｖ接続部２１４を介して載置部２００のＡ／Ｖ制御部２２３に印加する。すなわち，載置部２００のＡ／Ｖ制御部２２３は，Ａ／Ｖキー入力部２２２から印加されるＡ／Ｖキー入力信号に基づいて動作することができる一方で，本体キー入力部１１９から印加される本体キー入力信号に基づいても動作することができる。
【００６０】
また，本体制御部１１１がスリープモードである場合に本体部１００に載置部２００が結合あるいは接続されると，本体制御部１１１は，接続検知部１２２から入力される接続検知信号に基づいて，本体部１００を構成する各構成要素の動作モードが活性モードとなるように各構成要素を制御して，各構成要素を活性化させる。
【００６１】
ここで，本体制御部１１１とＡ／Ｖ制御部２２３との間で送受信される載置部制御信号及び本体部制信号，またはその他の制御信号は，一般的に，それぞれの信号用に設けられた汎用非同期送受信回路（ＵＡＲＴ通信ポート：Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）を介してそれぞれ相互に入出力されるが，必ずしもこの限りではなく，他の送受信手段を用いることもできる。
【００６２】
次に，図４を参照して本発明の実施の形態にかかる携帯用電子機器の映像再生方法について説明する。図４は，本発明の実施の形態にかかる携帯用電子機器の動作を説明するフローチャートである。
【００６３】
先ず，本体部１００の接続検知部１２２は，本体部１００と載置部２００とが結合されたか否かを判別して接続検知信号を本体制御部１１１に出力する接続判別ステップ（ステップＳ４００）を実行する。本体制御部１１１は，本体部１００と載置部２００とが結合されたか否かを判別した結果，結合されていない場合はステップＳ４００を繰り返して行う。
【００６４】
本体制御部１１１は，本体部１００と載置部２００とが結合されたか否かを判別した結果，結合されている場合は本体部１００を構成する各構成要素を活性化させる活性化ステップ（ステップＳ４１０）を実行する。活性化ステップにおいては，本体部１００を構成する各構成要素の動作モードをスリープモードから活性モードに変更して各構成要素を活性化させ，必要に応じて本体部１００の初期化を行なう。
【００６５】
次に，本体部１００と載置部２００とが結合されている状態で，載置部２００のＡ／Ｖ制御部２２３は，Ａ／Ｖ制御部２２３に印加されるＡ／Ｖキー入力信号が再生キー信号であるか否かを判別する再生判別ステップ（ステップＳ４２０）を実行する。Ａ／Ｖ制御部２２３は，再生キー信号が印加されたか否かを判別した結果，再生キー信号が印加されていない場合はステップＳ４２０を繰り返して行う。
【００６６】
Ａ／Ｖ制御部２２３は，再生キー信号が印加されたか否かを判別した結果，再生キー信号が印加された場合は，再生ステップ（ステップＳ４３０）を実行する。再生ステップにおいては，例えばＤＶＤなどのようなデータ格納媒体に格納された映像や音声などの情報からＡ／Ｖ信号を再生して復号化し，本体部１００に出力する。この再生ステップでは，載置部２００は本体部１００と結合された状態において本体部１００から印加される本体キー入力信号に基づいて動作することもできるし，載置部２００から印加されるＡ／Ｖキー入力信号に基づいて動作することもできる。すなわち，載置部２００は，本体部１００から印加される本体キー入力信号が再生キー信号である場合，または載置部２００から印加されるＡ／Ｖキー入力信号が再生キー信号である場合にＡ／Ｖ信号を再生して本体部１００に出力する。
【００６７】
そして，本体部１００は，載置部２００から入力されるＡ／Ｖ信号をユーザーが視聴可能な画像及び音声として出力する視聴化ステップ（ステップＳ４４０）を実行する。このとき，本体部１００は，載置部２００から入力されるＡ／Ｖ信号または本体部１００内の映像データを選択的に再生することができる。ここで，本体部１００内の映像データとは，例えば，本体部メモリ１１２に予め格納されている動画，静止画，音声またはこれらが統合されたマルチメディアデータなどのデータであったり，本体部１００が有するデータ通信手段によりインターネットなどから配信された動画，静止画，音声またはこれらが統合されたマルチメディアデータなどのデータである場合もある。
【００６８】
また，載置部２００及び本体部１００は，汎用非同期送受信回路（ＵＡＲＴ通信ポート：Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）を介して相互間の動作を制御する制御信号を互いに入出力する。
【００６９】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【００７０】
上述した実施の形態においては，着脱式の載置部を含んで構成され，この載置部と結合可能な携帯用電子機器（専用モバイル機器）を例にして説明してきたが，必ずしもこれに限定されるものではなく，本発明は載置部と結合することのできない他の一般的な携帯用電子機器（モバイル機器）に適用することも可能である。例えば，載置部を有さない携帯用電子機器においては，標準通信規格及びインターフェースを用いることにより，ＤＶＤなどのＡ／Ｖデータ格納媒体に記憶された映像データ（Ａ／Ｖ信号）を再生することもできる。
【産業上の利用可能性】
【００７１】
本発明は，携帯用電子機器に適用可能であり，特に携帯用電子機器の本体部に着脱自在に結合される載置部を備える携帯用電子機器に適用可能である。
【図面の簡単な説明】
【００７２】
【図１】本発明の実施の形態にかかる携帯用電子機器の映像再生装置の概略構成を示すブロック図である。
【図２】図１の携帯用電子機器の載置部の構成を示すブロック図である。
【図３】図１の携帯用電子機器の本体部の構成を示すブロック図である。
【図４】本発明の実施の形態にかかる携帯用電子機器の映像再生方法を説明するフローチャートである。
【符号の説明】
【００７３】
１００      本体部
１１０      本体モバイル部
１２０      載置部インターフェース部
２００      載置部
２１０      本体インターフェース部
２２０      Ａ／Ｖデータ格納媒体再生部
１１１      本体制御部
１１２      本体部メモリ
１１３      回線多重化部
１１４      表示駆動部
１１６      オーディオ制御部
１１７      スピーカー
１１８      表示部
１１９      本体キー入力部
１２１      本体接続部
１２２      接続検知部
２１１      アナログ／デジタル変換部
２１４      Ａ／Ｖ接続部
２２１      ディスク再生部
２２２      Ａ／Ｖキー入力部
２２３      Ａ／Ｖ制御部
２２４      Ａ／Ｖメモリ
２２５      Ａ／Ｖ復号化部
【図１】
2004254315.tif 000003
【図２】
2004254315.tif 000004
【図３】
2004254315.tif 000005
【図４】
2004254315.tif 000006